(57)【要約】【課題】最後の半円又はそれ以上の燃え残り部分が支持具から落ちて火災の原因になる等の危険性を無くし、且つまた渦巻き薫香が湿気を帯びて垂れ下がったときにも立ち消えを起こさないようにして支持することができ、更に支持の安定性を一層高めることができるようにする。【解決手段】不燃性で且つ適度の剛性を有する素材の平板からなる第１、第２、第３支持板２、３、４をもって一組とする。該第１、第２、第３支持板２、３、４を、夫々の連結片部と連結用切欠部とを嵌め合わせて三方に放射状に開いた支持具本体１Ａとする。該支持具本体１Ａの頂部に、不燃性で且つ適度の剛性を有する素材からなる座板５を配置する。【選択図】図４
2010099016.tif 000002
【特許請求の範囲】
【請求項１】
不燃性で且つ適度の剛性を有する素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となし、該水平となした部分の中央に座板の支持片部を突設する一方、外側辺における底辺から所定の高さの位置に、渦巻き薫香の最外周の一部を嵌め込むための凹部を形成し、更に内側辺の中央部に、後記第３支持板における連結片部が潜る大きさの切り欠きと、該切り欠きの奥側にこれに連続する後記第２支持板における連結片部が嵌合する連結用切欠部を形成してなる第１支持板と、前記第１支持板と同一素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となす一方、外側辺における底辺から所定の高さの位置に、渦巻き薫香の最外周の一部を嵌め込むための凹部を形成し、更に内側辺の上部と下部を所要の深さ及び長さに切り欠いて連結片部を形成すると共に、該連結片部における内側辺の中央部に、後記第３支持板の連結片部を折り曲げて潜らせる切り欠きと、該切り欠きの奥側にこれに連続する第３支持板の連結片部におけるくびれ部が咬合する連結用切欠部を形成してなる第２支持板と、前記第１及び第２支持板と同一素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となす一方、外側辺における底辺から所定の高さの位置に、渦巻き薫香の最外周の一部を嵌め込むための凹部を形成し、更に内側辺の上部と下部を所要の深さ及び長さに切り欠いてくびれ部を有する連結片部を形成してなる第３支持板とをもって一組として、該第１、第２、第３支持板を、夫々の連結片部と連結用切欠部とを嵌め合わせて三方に放射状に開いた支持具本体とし、この状態において、前記第１支持板における座板の支持片部を、不燃性で且つ適度の剛性を有する素材からなり、中央部に座板の支持片部の挿通孔を設けた円形の座板における該座板の支持片部の挿通孔に潜らせ、該座板を支持具本体の頂部に配置したことを特徴とする渦巻き薫香用支持具。
【請求項２】
不燃性で且つ適度の剛性を有する素材がカーボンファイバー又はグラスファイバーである請求項１記載の渦巻き薫香用支持具。
【請求項３】
座板の支持片部に吊り下げ用の小孔を貫設してなる請求項１又は２記載の渦巻き薫香用支持具。
【請求項４】
請求項１、２又は３記載の渦巻き薫香用支持具である支持具主体と、平板からなり、該支持具主体における各支持板の底辺に形成した結合用切欠部と咬合する結合用切欠部を頂部中央に形成した半円状の切り起こし片部を設けた、表面が耐熱性の安定保持体とからなることを特徴とする渦巻き薫香用支持具。
【発明の詳細な説明】
【技術分野】
【０００１】
本発明は渦巻き薫香用支持具に関し、更に詳細には、従来の渦巻き薫香用支持具で問題であった最後の半円又はそれ以上の燃え残り部分が支持具から落ちて火災の原因になる等の危険性を無くし、且つまた渦巻き薫香が湿気を帯びて垂れ下がったときにも立ち消えを起こさないようにして支持することができ、更に組み立てた状態における全体の保形力を増して支持の安定性を一層高めることができるようになした渦巻き薫香用支持具に係わる。
【背景技術】
【０００２】
渦巻き薫香を焚くときには、金属製の灰受け皿の縁に逆Ｌ字形の針金を立ち上げ、該逆Ｌ字形の針金の先端に渦巻き薫香を糸で吊るすようにすることが一般的である。
【０００３】
しかし、このような従来手段による場合には、最後の半円又はそれ以上の燃え残り部分が、支持具から落ちて火災の原因になる等の危険性がある。また、更に渦巻き薫香が湿気を帯びたときに問題が起こる。それは湿気を帯びると垂れ下がり、着火した部分が一番下側に位置することになって灰受け皿に接触し、その結果熱を奪われて立ち消えするという問題である。また、金属製の灰受け皿は、その直径が少なくとも渦巻き薫香の直径よりも大きく且つまた周縁部もある程度の高さがある。このため嵩張って携帯及び保管に不便である。
【０００４】
このような従来手段による場合の問題点を解消すべく、本発明者は先に特許文献１記載の渦巻き薫香用支持具を提案した。該渦巻き薫香用支持具は、図１１に示す如き構成である。而して、該図１１における渦巻き薫香用支持具１００は、垂直な内側辺１０２ａと、該内側辺１０２ａと直角な底辺１０２ｂと、該内側辺１０２ａの上端と底辺１０２ｂの外端とを結ぶ傾斜した外側辺１０２ｃとからなり、外側辺１０２ｃの内側辺１０２ａと接する部分に、上方に向けて三角状の突出片１０２ｄを延設すると共に、内側辺１０２ａ近傍に内側辺１０２ａに沿った結合用スリット１０２ｅを形成し、更に外側辺１０２ｃにおける底辺１０２ｂから所定の高さの位置に、渦巻き薫香の最外周の一部を嵌め込むための凹部１０２ｆを形成してなる板状体１０２、１０２、１０２を少なくとも３枚で一組とし、該３枚以上一組の板状体１０２、１０２、１０２を、夫々の結合用スリット１０２ｅと、該結合用スリット１０２ｅに嵌める軸線方向の切目１０３ａを入れた弾性材からなる結合パイプ１０３とをもって一体化し、該３枚以上一組の板状体１０２、１０２、１０２を放射状に開いた状態において、突き合わさった各三角状の突出片１０２ｄに中央部に三角状の穴１０４ａを開けた保形リング１０４を被せて保形するようになしたことを特徴とするものである。また、上記三角状の突出片１０２ｄには小孔１０２Ａを設けている。また各板状体１０２、１０２、１０２は不燃性の紙をもって、また保形リング１０４はグラスウールをもって製作している。
【０００５】
該渦巻き薫香用支持具１００は、グラスウール等からなる保形リング１０４を三角状の突出片１０２ｄに被せることにより、従来品の欠点を悉く解消し、最後の末端までその上で燃え尽きるようにしたから、最後まで安心して渦巻き薫香を燃焼させることができ、更に渦巻き薫香が湿気を帯びて垂れ下がったときにも、立ち消えを起こさないようにして支持すことができ、また携帯時や保管時には、各板状体をいずれかの１枚の側に寄せて重ねたり、或いは分解する等してコンパクトにすることができるという効果を奏するものである。
【０００６】
そして、該渦巻き薫香用支持具１００は、これを使用して渦巻き薫香を焚くときにおいては、上記の如く、３枚一組の板状体１０２、１０２、１０２を放射状に三方に開いた状態において、突き合わさった各三角状の突出片１０２ｄ、１０２ｄ、１０２ｄに保形リング１０４を被せ、各三角状の突出片１０２ｄ、１０２ｄ、１０２ｄを保形リング１０４の三角状の穴１０４ａ内に保持して組み立てた状態に保形するものである。しかし、該渦巻き薫香用支持具１００は、３枚一組の板状体１０２、１０２、１０２が、夫々結合パイプ１０３に自由に回動できるようにぶらぶらした状態で結合され、そして組み立てた状態の保形は、上記の如く単に各三角状の突出片１０２ｄ、１０２ｄ、１０２ｄに被せた保形リング１０４によってのみ行われるものである。而も三角状の突出片１０２ｄ、１０２ｄ、１０２ｄは小さいことから保形リング１０４が外れる虞れがある。これらのことから、組み立てた状態における全体の保形力が弱く、地震等による僅かな振動や衝撃が加わっただけでも形が崩れる虞れがある。よって支持の安定性の点において若干問題があった。
【０００７】
【特許文献１】特開２００５−１９８８７１号公報
【発明の開示】
【発明が解決しようとする課題】
【０００８】
本発明は上記の点に鑑みなされたものであって、上記本発明者が先に提案したものの効果に加えて、組み立てた状態における全体の保形力を増して支持の安定性を大幅に向上させることができるようになした渦巻き薫香用支持具を提供しようとするものである。
【課題を解決するための手段】
【０００９】
而して、本発明の要旨とするところは、不燃性で且つ適度の剛性を有する素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となし、該水平となした部分の中央に座板の支持片部を突設する一方、外側辺における底辺から所定の高さの位置に、渦巻き薫香の最外周の一部を嵌め込むための凹部を形成し、更に内側辺の中央部に、後記第３支持板における連結片部が潜る大きさの切り欠きと、該切り欠きの奥側にこれに連続する後記第２支持板における連結片部が嵌合する連結用切欠部を形成してなる第１支持板と、前記第１支持板と同一素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となす一方、外側辺における底辺から所定の高さの位置に、渦巻き薫香の最外周の一部を嵌め込むための凹部を形成し、更に内側辺の上部と下部を所要の深さ及び長さに切り欠いて連結片部を形成すると共に、該連結片部における内側辺の中央部に、後記第３支持板の連結片部を折り曲げて潜らせる切り欠きと、該切り欠きの奥側にこれに連続する第３支持板の連結片部におけるくびれ部が咬合する連結用切欠部を形成してなる第２支持板と、前記第１及び第２支持板と同一素材の平板からなり、垂直な内側辺と、該内側辺と直角な底辺と、該内側辺の上端と底辺の外端とを結ぶ傾斜した外側辺とからなり、外側辺の上端部の内側辺と接する部分を水平となす一方、外側辺における底辺から所定の高さの位置に、渦巻き薫香の最外周の一部を嵌め込むための凹部を形成し、更に内側辺の上部と下部を所要の深さ及び長さに切り欠いてくびれ部を有する連結片部を形成してなる第３支持板とをもって一組として、該第１、第２、第３支持板を、夫々の連結片部と連結用切欠部とを嵌め合わせて三方に放射状に開いた支持具本体とし、この状態において、前記第１支持板における座板の支持片部を、不燃性で且つ適度の剛性を有する素材からなり、中央部に座板の支持片部の挿通孔を設けた円形の座板における該座板の支持片部の挿通孔に潜らせ、該座板を支持具本体の頂部に配置したことを特徴とする渦巻き薫香用支持具にある。
【００１０】
また、上記構成において、不燃性で且つ適度の剛性を有する素材としては、カーボンファイバー又はグラスファイバーであることが好ましい。
【００１１】
また、上記構成において、座板の支持片部に吊り下げ用の小孔を貫設するようになしてもよい。
【００１２】
また、上記構成に係る渦巻き薫香用支持具を支持具主体とし、これと、平板からなり、支持具主体における各支持板の底辺に形成した結合用切欠部と咬合する結合用切欠部を頂部中央に形成した半円状の切り起こし片部を設けた、表面が耐熱性の安定保持体とをもって構成するようになしてもよい。
【発明の効果】
【００１３】
本発明は上記の如き構成であるから、上記本発明者が先に提案したものと同一の効果を奏するものである。そしてまた、第１、第２、第３支持板の３枚一組からなる支持具本体は、第１、第２、第３支持板の夫々の連結片部と連結用切欠部との嵌め合わせによって相互に強固に結合した状態で組み立てられるものであるから、組み立てた状態における全体の保形力が増して支持の安定性が大幅に向上するものである。
【００１４】
また、上記構成に係る渦巻き薫香用支持具を支持具主体とし、これと、平板からなり、支持具主体における各支持板の底辺に形成した結合用切欠部と咬合する結合用切欠部を頂部中央に形成した半円状の切り起こし片部を設けた、表面が耐熱性の安定保持体とをもって構成するようになし、安定保持体の切り起こし片部の結合用切欠部に、支持具主体の結合用切欠部を咬合させて、安定保持体上に支持具主体を保持するようになした場合には、支持具主体の保形力は更に高まると共に、面積の広い安定保持体上に確固と保持されるため、より一層安定性が増すものである。また、安定保持体の表面は耐熱性を有するから、万一火種が落下したとしても、燃えたり焦げたりしないものである。
【発明を実施するための最良の形態】
【００１５】
以下、本発明に係る渦巻き薫香用支持具を実施するための最良の形態について、図面を参照して説明する。
【００１６】
図１は本発明の第１実施形態に係る渦巻き薫香用支持具の分解状態図、図２、図３は組み立て過程の斜視図、図４は組み立てた状態の斜視図である。
【００１７】
図中、１は渦巻き薫香用支持具である。２は前記渦巻き薫香用支持具１における第１支持板である。また、該第１支持板２は、不燃性で且つ適度の剛性を有する素材の平板からなり、垂直な内側辺２ａと、該内側辺２ａと直角な底辺２ｂと、該内側辺２ａの上端と底辺２ｂの外端とを結ぶ傾斜した外側辺２ｃとからなり、外側辺２ｃの上端部の内側辺２ａと接する部分２ｃ′を水平となし、該水平となした部分２ｃ′の中央に座板の支持片部２ｄを突設する一方、外側辺２ｃにおける底辺２ｂから所定の高さの位置に、渦巻き薫香の最外周の一部を嵌め込むための凹部２ｅを形成し、更に内側辺２ａの中央部に、後記第３支持板４における連結片部４ｆが潜る大きさの切り欠き２ｆと、該切り欠き２ｆの奥側にこれに連続する後記第２支持板３における連結片部３ｅが嵌合する連結用切欠部２ｇを形成してなるものである。
【００１８】
また、前記不燃性で且つ適度の剛性を有する素材としては、カーボンファイバー又はグラスファイバーが好ましい。また、前記座板の支持片部２ｄには小孔２ｈを貫設し、つり下げて使用することもできるようになしている。
【００１９】
３は第２支持板である。また、該第２支持板３は、前記第１支持板２と同一素材の平板からなり、垂直な内側辺３ａと、該内側辺３ａと直角な底辺３ｂと、該内側辺３ａの上端と底辺３ｂの外端とを結ぶ傾斜した外側辺３ｃとからなり、外側辺３ｃの上端部の内側辺３ａと接する部分３ｃ′を水平となす一方、外側辺３ｃにおける底辺３ｂから所定の高さの位置に、渦巻き薫香の最外周の一部を嵌め込むための凹部３ｄを形成し、更に内側辺３ａの上部と下部を所要の深さＤ及び長さＬに切り欠いて連結片部３ｅを形成すると共に、該連結片部３ｅにおける内側辺３ａの中央部に、後記第３支持板４の連結片部４ｆを折り曲げて潜らせる切り欠き３ｆと、該切り欠き３ｆの奥側にこれに連続する第３支持板４の連結片部４ｆにおけるくびれ部４ｅが咬合する連結用切欠部３ｇを形成してなるものである。
【００２０】
４は第３支持板である。また、該第３支持板４は、前記第１及び第２支持板２、３と同一素材の平板からなり、垂直な内側辺４ａと、該内側辺４ａと直角な底辺４ｂと、該内側辺４ａの上端と底辺４ｂの外端とを結ぶ傾斜した外側辺４ｃとからなり、外側辺４ｃの上端部の内側辺４ａと接する部分４ｃ′を水平となす一方、外側辺４ｃにおける底辺４ｂから所定の高さの位置に、渦巻き薫香の最外周の一部を嵌め込むための凹部４ｄを形成し、更に内側辺４ａの上部と下部を所要の深さＤ及び長さＬに切り欠いてくびれ部４ｅを有する連結片部４ｆを形成してなるものである。
【００２１】
上記第１、第２、第３支持板２、３、４の夫々の連結片部と連結用切欠部との嵌め合わせは、第３支持板４の連結片部４ｆにおけるくびれ部４ｅを、第２支持板３の連結片部３ｅにおける連結用切欠部３ｇに咬合させた状態において、該第２支持板３の連結片部３ｅを、第１支持板２の連結用切欠部２ｇに嵌合させ、三方に放射状に開いた状態を得るものである。尚、第３支持板４の連結片部４ｆにおけるくびれ部４ｅを、第２支持板３の連結片部３ｅにおける連結用切欠部３ｇに咬合させるときには、第３支持板４を上下方向の中央部から一旦くの字形に折り曲げ、そのくびれ部４ｅが第２支持板３の連結片部３ｅにおける連結用切欠部３ｇと咬合する位置に入ったら加圧を解いて、復元弾性力により元の状態に戻すものである。
【００２２】
そして、これら第１、第２、第３支持板２、３、４とをもって一組として、該第１、第２、第３支持板２、３、４を、夫々の連結片部と連結用切欠部とを嵌め合わせて三方に放射状に開いた支持具本体１Ａとし、この状態において、前記第１支持板２における座板の支持片部２ｄを、不燃性で且つ適度の剛性を有する素材からなり、中央部に座板の支持片部の挿通孔５ａを設けた円形の座板５における該座板の支持片部の挿通孔５ａに潜らせ、該座板５を支持具本体１Ａの頂部に配置してなるものである。尚、図においてＰは渦巻き薫香を示す如きものである。
【００２３】
また、図５は吊り下げ使用時の斜視図であり、支持片部２ｄの吊り下げ用の小孔２ｈに灰受け皿７に取り付けられた吊り下げフック７ａの先端を差し込むことにより、吊り下げて使用することもできるものである。
【００２４】
次に図６乃至図１０に示した本発明の第２実施形態について説明する。
本実施形態は、上記構成に係る渦巻き薫香用支持具１を支持具主体Ａとし、これと、平板からなり、支持具主体Ａにおける各支持板２、３、４の底辺２ｂ、３ｂ、４ｂに形成した結合用切欠部２ｉ、３ｈ、４ｇと咬合する結合用切欠部６ａを頂部中央に形成した半円状の切り起こし片部６、６、６を設けた、表面が耐熱性の安定保持体Ｂとをもって構成するようになし、安定保持体Ｂの切り起こし片部６、６、６の結合用切欠部６ａに、支持具主体Ａの結合用切欠部２ｉ、３ｈ、４ｇを咬合させて、安定保持体Ｂ上に支持具主体Ａを保持するようになしたものである。
【００２５】
また、本実施形態における安定保持体Ｂにあっては、図６乃至図８に示す如く、その切り起こし片部６、６、６を、中心部側に切り込みを入れて外側に起立させるようにしてもよく、或いはまた図９及び図１０に示す如く、外側に切り込みを入れて中心部側に起立させるようにしてもよい。尚、これらの場合は、支持具主体Ａにおける各支持板２、３、４の底辺２ｂ、３ｂ、４ｂに形成する結合用切欠部２ｉ、３ｈ、４ｇの位置を、夫々に対応させるべく変えるものである。
【００２６】
このようになした場合には、支持具主体Ａの保形力は更に高まると共に、面積の広い安定保持体Ｂ上に確固と保持されるため、より一層安定性が増すものである。また、安定保持体Ｂの表面は耐熱性を有するから、万一火種が落下したとしても燃えたり、焦げたりしないものである。尚、本実施形態にあっては、安定保持体Ｂの本体としてボール紙を用い、その表面に耐熱性を附与するためにアルミニウム蒸着（コーティング）を施したものを用いている。しかし、これに限定されることなく、種々の耐熱性附与の手段が採用できること勿論である。
【図面の簡単な説明】
【００２７】
【図１】本発明の第１実施形態に係る渦巻き薫香用支持具の分解状態を示す図である。
【図２】組み立て過程の斜視図であり、第２支持板と第３支持板との連結状態を示すものである。
【図３】組み立て過程の斜視図であり、第２支持板及び第３支持板と第１支持板との連結状態を示すものである。
【図４】組み立てた状態の斜視図である。
【図５】吊り下げ使用時の斜視図である。
【図６】本発明の第２実施形態に係る渦巻き薫香用支持具の組み立てた状態の斜視図である。
【図７】安定保持体の平面図である。
【図８】安定保持体の切り起こし片部を起立させた状態の斜視図である。
【図９】安定保持体の他の例の平面図である。
【図１０】安定保持体の他の例の切り起こし片部を起立させた状態の斜視図である。
【図１１】本発明者が先に提案した渦巻き薫香用支持具の組み立てた状態の斜視図である。
【符号の説明】
【００２８】
１  渦巻き薫香用支持具
１Ａ  支持具本体
２  第１支持板
２ａ  第１支持板の内側辺
２ｂ  第１支持板の底辺
２ｃ  第１支持板の外側辺
２ｄ  座板の支持片部
２ｅ  凹部
２ｆ  切り欠き
２ｇ  連結用切欠部
２ｈ  吊り下げ用の小孔
２ｉ  結合用切欠部
３  第２支持板
３ａ  第２支持板の内側辺
３ｂ  第２支持板の底辺
３ｃ  第２支持板の外側辺
３ｄ  凹部
３ｅ  連結片部
３ｆ  切り欠き
３ｇ  連結用切欠部
３ｈ  結合用切欠部
４  第３支持板
４ａ  第３支持板の内側辺
４ｂ  第３支持板の底辺
４ｃ  第３支持板の外側辺
４ｄ  凹部
４ｅ  くびれ部
４ｆ  連結片部
４ｇ  結合用切欠部
５  座板
５ａ  座板の支持片部の挿通孔
Ａ  支持具主体
Ｂ  安定保持体
６、６、６  切り起こし片部
６ａ  結合用切欠部
Ｐ  渦巻き薫香
７  灰受け皿
７ａ  吊り下げフック
【図１】
2010099016.tif 000003
【図２】
2010099016.tif 000004
【図３】
2010099016.tif 000005
【図４】
2010099016.tif 000006
【図５】
2010099016.tif 000007
【図６】
2010099016.tif 000008
【図７】
2010099016.tif 000009
【図８】
2010099016.tif 000010
【図９】
2010099016.tif 000011
【図１０】
2010099016.tif 000012
【図１１】
2010099016.tif 000013